(57)【要約】【課題】駆動系の摩擦要素をスリップ締結状態から完全締結状態へ移行するとき、モータトルク変化率の適切な設定により、ドライバーに違和感を与えることなく、クラッチ完全締結走行モードへ遷移すること。【解決手段】駆動系に、モータ/ジェネレータMGと第２クラッチCL2と左右後輪RL,RRを備え、第２クラッチCL2はスリップ締結状態と完全締結状態の切り換え、モータ/ジェネレータMGは回転数制御とトルク制御を行う。このＦＲハイブリッド車両において、第２クラッチCL2がスリップ締結状態から完全締結状態への移行を完了した時点でクラッチ伝達トルクから要求駆動トルクへの変更を要するとき、トルク落差を傾斜勾配のモータトルクにより繋ぐモータ・クラッチ協調制御手段（図６）を設け、モータトルク変化率を、クラッチ伝達トルクと要求駆動トルクの大小関係、および、アクセル開度APOに基づいて設定するモータトルク変化率設定部（ステップＳ６，ステップＳ１０）を有する。【選択図】図６
2011020542.tif 000002
【特許請求の範囲】
【請求項１】
駆動系に、モータと、摩擦要素と、駆動輪と、を備え、
前記摩擦要素は、スリップ締結状態と完全締結状態の切り換え制御を行い、
前記モータは、前記摩擦要素がスリップ締結状態のとき、モータ回転数を目標回転数とする回転数制御を行い、前記摩擦要素が完全締結状態のとき、モータトルクを目標トルクとするトルク制御を行う電動車両の制御装置において、
前記摩擦要素がスリップ締結状態から完全締結状態への移行を完了した時点で第１駆動伝達トルクから第２駆動伝達トルクへの変更を要するとき、前記第１駆動伝達トルクと前記第２駆動伝達トルクのトルク落差を、所定のモータトルク変化率による傾斜勾配特性を持つモータトルクにより繋ぐモータ・クラッチ協調制御手段を設け、
前記モータ・クラッチ協調制御手段は、前記モータトルク変化率を、前記第１駆動伝達トルクと前記第２駆動伝達トルクの大小関係、および、ドライバーの要求駆動力相当値に基づいて設定するモータトルク変化率設定部を有することを特徴とする電動車両の制御装置。
【請求項２】
請求項１に記載された電動車両の制御装置において、
前記モータ・クラッチ協調制御手段は、前記摩擦要素がスリップ締結状態から完全締結状態への移行を完了したとき、前記摩擦要素のスリップ制御中におけるクラッチ伝達トルクと要求駆動トルクのズレ分を求め、このズレ分をモータトルクにより補正する手段であり、
前記モータトルク変化率設定部は、前記摩擦要素が完全締結状態への移行を完了した後、前記要求駆動トルクに向かって変化させるモータトルク変化率を、前記クラッチ伝達トルクと前記要求駆動トルクとの大小関係、および、ドライバーの要求駆動力相当値に基づいて設定することを特徴とする電動車両の制御装置。
【請求項３】
請求項１または請求項２に記載された電動車両の制御装置において、
前記モータトルク変化率設定部は、前記第１駆動伝達トルクが前記第２駆動伝達トルクより大きい場合、アクセル開度が大きいほど、補正時のモータトルク変化率を小さく設定することを特徴とする電動車両の制御装置。
【請求項４】
請求項１から請求項３の何れか１項に記載された電動車両の制御装置において、
前記モータトルク変化率設定部は、前記第１駆動伝達トルクが前記第２駆動伝達トルクより小さい場合、アクセル開度が小さいほど、補正時のモータトルク変化率を小さく設定することを特徴とする電動車両の制御装置。
【請求項５】
請求項１から請求項４までの何れか１項に記載された電動車両の制御装置において、
前記駆動系は、前記モータと前記駆動輪との間に変速機を有し、
前記モータトルク変化率設定部は、前記両トルクの大小関係、および、アクセル開度に基づいて設定されたモータトルク変化率を、前記変速機の変速比の大きさに応じてモータ軸上のモータトルク変化率に換算することを特徴とする電動車両の制御装置。
【請求項６】
請求項１から請求項５までの何れか１項に記載された電動車両の制御装置において、
前記駆動系は、エンジンと、第１クラッチと、モータと、第２クラッチと、変速機と、駆動輪と、を備えたハイブリッド駆動系であり、
前記ハイブリッド駆動系は、走行モードとして、前記第１クラッチを解放しながら走行する電気自動車走行モードと、前記第１クラッチを締結しながら走行するハイブリッド車走行モードと、前記第２クラッチのスリップ締結状態を維持し、前記第２クラッチを経過するクラッチ伝達トルクをコントロールしながら走行する駆動トルクコントロール走行モードと、を有することを特徴とする電動車両の制御装置。
【発明の詳細な説明】
【技術分野】
【０００１】
本発明は、駆動源にモータを有する電気自動車やハイブリッド車両等であって、発進時等において摩擦要素をスリップ締結する電動車両の制御装置に関する。
【背景技術】
【０００２】
従来、モータと駆動輪の間に介装された摩擦要素がスリップ状態から締結状態となるとき、モータ制御を、回転数制御からトルク制御に切り換えるハイブリッド車両の制御装置が知られている（例えば、特許文献１の段落〔００７６〕参照）。
【０００３】
このモータ制御の切り換えに伴って、モータトルク目標値が、回転数制御用モータトルク目標値からトルク制御用モータトルク目標値へと切り換わってモータトルクが変化するが、このモータトルクの時間変化割合を、モータトルクの急変によるショックが問題とならない範囲で最も大きな時間変化割合とし、ショック対策と加速応答遅れの回避との両立を図っている。
【先行技術文献】
【特許文献】
【０００４】
【特許文献１】特開２００８−８１０９９号公報
【発明の概要】
【発明が解決しようとする課題】
【０００５】
ところで、摩擦要素の油圧制御は、油温や経年変化などによって指令値に対して実際値がばらつく。このため、摩擦要素のスリップ制御中、要求駆動トルクと実際のクラッチ伝達トルクとにはズレが生じる。このズレによりトルク制御開始時における要求駆動トルクと実際の駆動トルクもずれることから、ドライバーの要求に応じた適切な駆動力制御ができない。
【０００６】
そこで、スリップ制御中の要求駆動トルクとクラッチ伝達トルクとのズレ分をモータトルクから推定し、トルク制御開始時における目標モータトルクを要求駆動トルク＋ズレ分と設定することが考えられる。しかし、このように目標モータトルクを設定すると以下問題が発生する。
【０００７】
すなわち、アクセルの踏み込みが小さいときにスリップ状態から締結状態への移行がある状況において、クラッチ伝達トルク（実駆動トルク）が要求駆動トルクよりも小さくずれていた場合、上記した従来技術のように、ショックが出ない範囲で最も大きな時間変化割合でモータトルクを変化させると、ショックは発生しなくとも、ズレ分の負トルクが素早く補填されるので、車両の突き出し感をドライバーに与えるおそれがある、という問題がある。
【０００８】
一方、アクセルの大きな踏み込みがあってスリップ状態から締結状態へと移行される状況において、クラッチ伝達トルク（実駆動トルク）が要求駆動トルクよりも大きくずれていた場合には、上記した従来技術のように、ショックが発生しない範囲で最も大きな時間変化割合でモータトルクを変化させると、ショックが発生しなくとも、ズレ分の正トルクが素早く抜けるので、加速の抜け感をドライバーに与えるおそれがある、という問題がある。
【０００９】
本発明は、上記問題に着目してなされたもので、駆動系の摩擦要素をスリップ締結状態から完全締結状態へ移行するとき、モータトルク変化率の適切な設定により、ドライバーに違和感を与えることなく、クラッチ完全締結走行モードへ遷移することができる電動車両の制御装置を提供することを目的とする。
【課題を解決するための手段】
【００１０】
上記目的を達成するため、本発明の電動車両の制御装置では、駆動系に、モータと、摩擦要素と、駆動輪と、を備え、前記摩擦要素は、スリップ締結状態と完全締結状態の切り換え制御を行い、前記モータは、前記摩擦要素がスリップ締結状態のとき、モータ回転数を目標回転数とする回転数制御を行い、前記摩擦要素が完全締結状態のとき、モータトルクを目標トルクとするトルク制御を行う。
この電動車両の制御装置において、前記摩擦要素がスリップ締結状態から完全締結状態への移行を完了した時点で第１駆動伝達トルクから第２駆動伝達トルクへの変更を要するとき、前記第１駆動伝達トルクと前記第２駆動伝達トルクのトルク落差を、所定のモータトルク変化率による傾斜勾配特性を持つモータトルクにより繋ぐモータ・クラッチ協調制御手段を設けた。
前記モータ・クラッチ協調制御手段は、前記モータトルク変化率を、前記第１駆動伝達トルクと前記第２駆動伝達トルクの大小関係、および、ドライバーの要求駆動力相当値に基づいて設定するモータトルク変化率設定部を有する。
【発明の効果】
【００１１】
よって、本発明の電動車両の制御装置にあっては、摩擦要素がスリップ締結状態から完全締結状態への移行を完了した時点で第１駆動伝達トルクから第２駆動伝達トルクへの変更を要するとき、モータトルク変化率が、第１駆動伝達トルクと第２駆動伝達トルクの大小関係、および、ドライバーの要求駆動力相当値に基づいて設定される。
例えば、要求駆動力情報のみによりモータトルク変化率を設定する場合、要求駆動力が大きいときには、モータトルク変化率を大きく設定し、加速要求に応えることになる。しかし、第１駆動伝達トルク＞第２駆動伝達トルクという関係にあるときには、急激にモータトルクが低下することで、ドライバーに加速の抜け感を与える。このように、モータトルクの大小関係情報と要求駆動力情報のうち、一方の情報のみを用いたモータトルク変化率の設定では、モータトルク変化率を適切に設定できず、ドライバーに違和感を与える。
これに対し、本発明は、モータトルクの大小関係情報と要求駆動力情報の組み合わせ情報に基づき、様々なモード遷移状況に対応してモータトルク変化率を設定できるというように、モータトルク変化率の設定自由度が確保される。このため、モード遷移状況にかかわらず、ドライバーに違和感を与えない適切なモータトルク変化率の設定を行える。
この結果、駆動系の摩擦要素をスリップ締結状態から完全締結状態へ移行するとき、モータトルク変化率の適切な設定により、ドライバーに違和感を与えることなく、クラッチ完全締結走行モードへ遷移することができる。
【図面の簡単な説明】
【００１２】
【図１】実施例１の制御装置が適用された後輪駆動によるＦＲハイブリッド車両（電動車両の一例）を示す全体システム図である。
【図２】実施例１の統合コントローラ１０で行われる演算処理を示す制御ブロック図である。
【図３】実施例１の統合コントローラ１０の目標駆動トルク演算部100に設定されているトルクマップをあらわす図であり、(a)は目標定常トルクマップの一例を示し、(b)はMGアシストトルクマップの一例を示す。
【図４】実施例１の統合コントローラ１０のモード選択部200に設定されているEV-HEV選択マップの一例を示す図である。
【図５】実施例１の統合コントローラ１０の目標発電出力演算部300に設定されている走行中発電要求出力マップの一例を示す図である。
【図６】実施例１の統合コントローラ１０にて実行される第２クラッチCL2がスリップ締結状態から完全締結状態へ移行完了したときのモータ・クラッチ協調制御処理の流れを示すフローチャートである。
【図７】実施例１のモータ・クラッチ協調制御処理において補正レート値を決定するために用いられる補正レート値マップの一例を示す図である。
【図８】実施例１のモータ・クラッチ協調制御処理においてモータ軸上換算係数を決定するために用いられるモータ軸上換算係数マップの一例を示す図である。
【図９】比較例の制御装置が搭載された電動車両においてCL2スリップ締結制御からCL2完全締結制御へ移行する発進シーンで、クラッチ伝達トルク＜要求駆動トルクの関係にあるときのアクセル開度・回転系・トルク系・前後加速度（Ｇ）の各特性を示すタイムチャートである。
【図１０】比較例の制御装置が搭載された電動車両においてCL2スリップ締結制御からCL2完全締結制御へ移行する発進シーンで、クラッチ伝達トルク＞要求駆動トルクの関係にあるときのアクセル開度・回転系・トルク系・前後加速度（Ｇ）の各特性を示すタイムチャートである。
【図１１】実施例１の制御装置が搭載されたＦＲハイブリッド車両において第２クラッチCL2がスリップ締結状態から完全締結状態へ移行する走行シーンで、アクセル開度が同等であるが、クラッチ伝達トルク＞要求駆動トルクの関係にある両トルクのズレ量が異なるときのCL2締結トルク・要求駆動トルク・ズレ方Ａのときのモータトルク・ズレ方Ｂのときのモータトルクの各特性を示すタイムチャートである。
【図１２】実施例１の制御装置が搭載されたＦＲハイブリッド車両において第２クラッチCL2がスリップ締結状態から完全締結状態へ移行する走行シーンでのモータ・クラッチ協調制御作用説明図であり、(a)はモータ回転数特性のタイムチャートを示し、(b)はアクセル開度小でドライバーが加速を求めずにゆっくり走りたい時のモータトルク特性のタイムチャートを示し、(c)はアクセル開度大でドライバーが加速を求めている時のモータトルク特性のタイムチャートを示す。
【発明を実施するための形態】
【００１３】
以下、本発明の電動車両の制御装置を実現する最良の形態を、図面に示す実施例１に基づいて説明する。
【実施例１】
【００１４】
まず、構成を説明する。
図１は、実施例１の制御装置が適用された後輪駆動によるＦＲハイブリッド車両（電動車両の一例）を示す全体システム図である。
【００１５】
実施例１におけるＦＲハイブリッド車両の駆動系は、図１に示すように、エンジンEngと、フライホイールFWと、第１クラッチCL1と、モータ/ジェネレータMG（モータ）と、メカオイルポンプM-O/Pと、第２クラッチCL2（摩擦要素）と、自動変速機AT（変速機）と、変速機入力軸INと、プロペラシャフトPSと、ディファレンシャルDFと、左ドライブシャフトDSLと、右ドライブシャフトDSRと、左後輪RL（駆動輪）と、右後輪RR（駆動輪）と、を有する。なお、FLは左前輪、FRは右前輪である。
【００１６】
前記エンジンEngは、ガソリンエンジンやディーゼルエンジンであり、エンジンコントローラ１からのエンジン制御指令に基づいて、エンジン始動制御やエンジン停止制御やスロットルバルブのバルブ開度制御やフューエルカット制御等が行われる。なお、エンジン出力軸には、フライホイールFWが設けられている。
【００１７】
前記第１クラッチCL1は、エンジンEngとモータ/ジェネレータMGの間に介装されたクラッチであり、第１クラッチコントローラ５からの第１クラッチ制御指令に基づき第１クラッチ油圧ユニット６により作り出された第１クラッチ制御油圧により、締結・半締結状態・解放が制御される。この第１クラッチCL1としては、例えば、ダイアフラムスプリングによる付勢力にて完全締結を保ち、ピストン１４ａを有する油圧アクチュエータ１４を用いたストローク制御により、スリップ締結から完全解放までが制御されるノーマルクローズの乾式単板クラッチが用いられる。
【００１８】
前記モータ/ジェネレータMGは、ロータに永久磁石を埋設しステータにステータコイルが巻き付けられた同期型モータ/ジェネレータであり、モータコントローラ２からの制御指令に基づいて、インバータ３により作り出された三相交流を印加することにより制御される。このモータ/ジェネレータMGは、バッテリ４からの電力の供給を受けて回転駆動する電動機として動作することもできるし（「力行」）、ロータがエンジンEngや駆動輪から回転エネルギーを受ける場合には、ステータコイルの両端に起電力を生じさせる発電機として機能し、バッテリ４を充電することもできる（「回生」）。
【００１９】
前記メカオイルポンプM-O/Pは、モータ/ジェネレータMGのモータ軸MSに設けられ、モータ/ジェネレータMGにより駆動される。このメカオイルポンプM-O/Pは、自動変速機ATに付設されるAT油圧コントロールバルブユニットCVUと、これに内蔵している第１クラッチ油圧ユニット６と第２クラッチ油圧ユニット８に対する油圧源とされる。なお、メカオイルポンプM-O/Pからの吐出圧が見込めないときや不足するときのため、電動モータにより駆動される電動オイルポンプを設けるようにしても良い。
【００２０】
前記第２クラッチCL2は、モータ/ジェネレータMGと左右後輪RL,RRの間のうち、モータ軸MSと変速機入力軸INの間に介装されたクラッチである。この第２クラッチCL2は、ＡＴコントローラ７からの第２クラッチ制御指令に基づき第２クラッチ油圧ユニット８により作り出された制御油圧により、締結・スリップ締結・解放が制御される。この第２クラッチCL2としては、例えば、比例ソレノイドで油流量および油圧を連続的に制御できるノーマルオープンの湿式多板クラッチ等が用いられる。
【００２１】
前記自動変速機ATは、第２クラッチCL2の下流位置に配置され、有段階の変速段を車速やアクセル開度等に応じて自動的に切り替える有段変速機や、無段階の変速比を車速やアクセル開度等に応じて自動的に変更するベルト式やトロイダル式の無段変速機が用いられる。なお、実施例１では、第２クラッチCL2として、自動変速機ATとは独立の専用クラッチとして新たに追加した例を示したが、自動変速機ATの各変速段にて締結される複数の摩擦要素のうち、所定の条件に適合する摩擦要素（クラッチやブレーキ）を選択して第２クラッチCL2としても良い。
【００２２】
前記自動変速機ATの変速機出力軸には、プロペラシャフトPSが連結されている。そして、このプロペラシャフトPSは、ディファレンシャルDF、左ドライブシャフトDSL、右ドライブシャフトDSRを介して左右後輪RL,RRに連結されている。
【００２３】
このＦＲハイブリッド車両は、駆動形態の違いによる走行モードとして、電気自動車走行モード（以下、「EVモード」という。）と、ハイブリッド車走行モード（以下、「HEVモード」という。）と、駆動トルクコントロール走行モード（以下、「WSCモード」という。なお、WSCは、「Wet Start Clutch」の略である。）と、を有する。
【００２４】
前記「EVモード」は、第１クラッチCL1を解放状態とし、モータ/ジェネレータMGを駆動源として走行するモードであり、モータ走行モード・回生走行モードを有し、何れかのモードにより走行する。この「EVモード」は、要求駆動力が低く、バッテリSOCが確保されているときに選択される。
【００２５】
前記「HEVモード」は、第１クラッチCL1を締結状態とし、エンジンEngとモータ/ジェネレータMGを駆動源として走行するモードであり、モータアシスト走行モード・発電走行モード・エンジン走行モードを有し、何れかのモードにより走行する。この「HEVモード」は、要求駆動力が高いとき、あるいは、バッテリSOCが不足するようなときに選択される。
【００２６】
前記「WSCモード」は、モータ/ジェネレータMGの回転数制御とクラッチ油圧制御により、第２クラッチCL2をスリップ締結状態に維持し、第２クラッチCL2を経過するクラッチ伝達トルクが、車両状態やドライバー操作に応じて決まる要求駆動トルクとなるようにクラッチトルク容量をコントロールしながら走行するモードである。この「WSCモード」は、「HEVモード」の選択状態での停車時・発進時・減速時等のように、エンジン回転数がアイドル回転数を下回るような走行領域やポンプ吐出油が不足するような発進領域において選択される。加えて、「WSCモード」は、「EVモード」から「HEVモード」へのモード遷移に際して行われるエンジン始動制御中にトルク変動を吸収するために選択されると共に、「HEVモード」から「EVモード」へのモード遷移に際して行われるエンジン停止制御中にトルク変動を吸収するために選択される。
【００２７】
次に、ＦＲハイブリッド車両の制御系を説明する。
実施例１におけるＦＲハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＡＴコントローラ７と、第２クラッチ油圧ユニット８と、ブレーキコントローラ９と、統合コントローラ１０と、を有して構成されている。なお、各コントローラ１，２，５，７，９と、統合コントローラ１０とは、情報交換が互いに可能なＣＡＮ通信線１１を介して接続されている。
【００２８】
前記エンジンコントローラ１は、エンジン回転数センサ１２からのエンジン回転数情報と、統合コントローラ１０からの目標エンジントルク指令と、他の必要情報を入力する。そして、エンジン動作点（Ne,Te）を制御する指令を、エンジンEngのスロットルバルブアクチュエータ等へ出力する。
【００２９】
前記モータコントローラ２は、モータ/ジェネレータMGのロータ回転位置を検出するレゾルバ１３からの情報と、統合コントローラ１０からの目標MGトルク指令および目標MG回転数指令と、他の必要情報を入力する。そして、モータ/ジェネレータMGのモータ動作点（Nm,Tm）を制御する指令をインバータ３へ出力する。なお、このモータコントローラ２は、モータトルクを目標トルクとし、回転数を駆動系の回転に追従させるトルク制御を基本制御とするが、第２クラッチCL2のスリップ制御中は、モータ回転数を目標回転数とし、トルクを駆動系負荷に追従させる回転数制御を行う。また、このモータコントローラ２は、バッテリ４の充電容量をあらわすバッテリSOCを監視していて、このバッテリSOC情報を、ＣＡＮ通信線１１を介して統合コントローラ１０へ供給する。
【００３０】
前記第１クラッチコントローラ５は、油圧アクチュエータ１４のピストン１４ａのストローク位置を検出する第１クラッチストロークセンサ１５からのセンサ情報と、統合コントローラ１０からの目標CL1トルク指令と、他の必要情報を入力する。そして、第１クラッチCL1の締結・半締結・解放を制御する指令をAT油圧コントロールバルブユニットCVU内の第１クラッチ油圧ユニット６に出力する。
【００３１】
前記ＡＴコントローラ７は、アクセル開度センサ１６と、車速センサ１７と、他のセンサ類１８等からの情報を入力する。そして、Ｄレンジを選択しての走行時、アクセル開度APOと車速VSPにより決まる運転点が、シフトマップ上で存在する位置により最適な変速段や変速比を検索し、検索された変速段や変速比を得る制御指令をAT油圧コントロールバルブユニットCVUに出力する。
この変速制御に加えて、統合コントローラ１０から目標CL2トルク指令を入力した場合、第２クラッチCL2へのクラッチ油圧を制御する指令をAT油圧コントロールバルブユニットCVU内の第２クラッチ油圧ユニット８に出力する第２クラッチ制御を行う。
また、エンジン始動制御等において、統合コントローラ１０から変速制御指令が出力された場合、通常の変速制御に優先し、変速制御指令にしたがった変速制御を行う。
【００３２】
前記ブレーキコントローラ９は、４輪の各車輪速を検出する車輪速センサ１９と、ブレーキストロークセンサ２０からのセンサ情報と、統合コントローラ１０からの回生協調制御指令と、他の必要情報を入力する。そして、例えば、ブレーキ踏み込み制動時、ブレーキストロークBSから求められる要求制動力に対し回生制動力だけでは不足する場合、その不足分を機械制動力（液圧制動力やモータ制動力）で補うように、回生協調ブレーキ制御を行う。
【００３３】
前記統合コントローラ１０は、車両全体の消費エネルギーを管理し、最高効率で車両を走らせるための機能を担うもので、モータ回転数Nmを検出するモータ回転数センサ２１や他のセンサ・スイッチ類２２からの必要情報およびＣＡＮ通信線１１を介して情報を入力する。そして、エンジンコントローラ１へ目標エンジントルク指令、モータコントローラ２へ目標MGトルク指令および目標MG回転数指令、第１クラッチコントローラ５へ目標CL1トルク指令、ＡＴコントローラ７へ目標CL2トルク指令、ブレーキコントローラ９へ回生協調制御指令を出力する。
【００３４】
図２は、実施例１の統合コントローラ１０で行われる演算処理を示す制御ブロック図である。図３〜図５は、統合コントローラ１０の目標駆動トルク演算部100、モード選択部200、目標発電出力演算部300にそれぞれ設定されているマップの一例を示す図である。以下、図２〜図５を用いて、統合コントローラ１０で行われる演算処理を説明する。
【００３５】
前記統合コントローラ１０は、図２に示すように、目標駆動トルク演算部100と、モード選択部200と、目標発電出力演算部300と、動作点指令部400と、変速制御部500と、を備えている。
【００３６】
前記目標駆動トルク演算部100は、図３(a)に示す目標定常駆動トルクマップと、図３(b)に示すMGアシストトルクマップを用いて、アクセル開度APOと車速VSPから、目標定常駆動トルクとMGアシストトルクを算出する。
【００３７】
前記モード選択部200は、図４に示すEV-HEV選択マップを用いて、アクセル開度APOと車速VSPから、目標走行モード（HEVモード、EVモード、WSCモード）を演算する。
このEV-HEV選択マップには、EV領域に存在する運転点（APO,VSP）が横切ると「HEVモード」へと切り替えるEV⇒HEV切替線と、HEV領域に存在する運転点（APO,VSP）が横切ると「EVモード」へと切り替えるHEV⇒EV切替線と、「HEVモード」の選択時に運転点（APO,VSP）がWSC領域に入ると「WSCモード」へと切り替えるHEV⇒WSC切替線と、が設定されている。前記HEV⇒EV切替線と前記HEV⇒EV切替線は、EV領域とHEV領域を分ける線としてヒステリシス量を持たせて設定されている。前記HEV⇒WSC切替線は、自動変速機ATが１速段や最低変速比のときに、エンジンEngがアイドル回転数を維持する第１設定車速VSP1に沿って設定されている。但し、「EVモード」の選択中、バッテリSOCが所定値以下になると、強制的に「HEVモード」を目標走行モードとする。
【００３８】
前記目標発電出力演算部300は、図５に示す走行中発電要求出力マップを用いて、バッテリSOCから目標発電出力を演算する。また、現在のエンジン動作点（回転数、トルク）から最良燃費線までエンジントルクを上げるために必要な出力を演算し、前記目標発電出力と比較して少ない出力を要求出力として、エンジン出力に加算する。
【００３９】
前記動作点指令部400は、アクセル開度APOと目標定常トルクとMGアシストトルクと目標走行モードと車速VSPと要求発電出力とから、これらを動作点到達目標として、過渡的な目標エンジントルクと目標MGトルクと目標CL2トルク容量と目標変速比（目標ATシフト）とCL1ソレノイド電流指令を演算する。
【００４０】
前記変速制御部500は、目標CL2トルク容量と目標変速比（目標ATシフト）とから、これらを達成するように自動変速機AT内のソレノイドバルブを駆動制御するATソレノイド電流指令を演算する。
【００４１】
図６は、実施例１の統合コントローラ１０にて実行される第２クラッチCL2がスリップ締結状態から完全締結状態へ移行完了したときのモータ・クラッチ協調制御処理の流れを示すフローチャートである（モータ・クラッチ協調制御手段）。以下、図６の各ステップについて説明する。
【００４２】
ステップＳ１では、第２クラッチCL2がスリップ状態から完全締結状態へ移行完了したか否かを判断し、YES（完全締結状態へ移行完了）の場合はステップＳ３へ進み、NO（移行完了前のスリップ締結状態）の場合はステップＳ２へ進む。
【００４３】
ステップＳ２では、ステップＳ１での完全締結状態へ移行完了前のスリップ締結状態であるとの判断に続き、モータ/ジェネレータMGよるモータ回転数制御を実行し、エンドへ進む。
ここで、スリップ締結状態でのモータ回転数制御としては、例えば、第２クラッチCL2の出力回転数にスリップ回転数を加えた回転数を目標回転数とし、モータ/ジェネレータMGの回転数を目標回転数に一致させてスリップ締結状態を維持する制御が行われる。
【００４４】
ステップＳ３では、ステップＳ１での完全締結状態へ移行完了であるとの判断に続き、スリップ締結状態にて実行されていたモータ回転数制御をモータトルク制御に切り換えて変更し、ステップＳ４へ進む。
ここで、完全締結状態でのモータトルク制御とは、「EVモード」の選択時において、モータトルクを要求駆動トルクと一致させる制御を基本制御とし、「HEVモード」の選択時において、要求駆動トルクからエンジントルク分を差し引いてモータトルク分を求め、モータトルクをモータトルク分と一致させる制御を基本制御とする。
【００４５】
ステップＳ４では、ステップＳ３でのモータトルク制御への切り換えに続き、第２クラッチCL2がスリップ時のクラッチ伝達トルクと要求駆動トルクが異なるか否かを判断し、YES（両トルクは異なる）の場合はステップＳ５へ進み、NO（両トルクは同じ）の場合はステップＳ１４へ進む。
なお、クラッチ伝達トルクの演算手法については後述する。
【００４６】
ステップＳ５では、ステップＳ４でのクラッチ伝達トルクと要求駆動トルクが異なるとの判断に続き、クラッチスリップ時のクラッチ伝達トルクが要求駆動トルクより大きいか否かを判断し、YES（クラッチ伝達トルク＞要求駆動トルク）の場合はステップＳ６へ進み、NO（クラッチ伝達トルク＜要求駆動トルク）の場合はステップＳ１０へ進む。
【００４７】
ステップＳ６では、ステップＳ５でのクラッチ伝達トルク＞要求駆動トルクであるとの判断、あるいは、ステップＳ９でのズレ補正未完であるとの判断に続き、そのときのアクセル開度APOと図７に示す補正レート値マップを用い、ズレトルク＞０のマップ線に基づいてアクセル開度APOが大きくなるほど小さくなる補正レート値を決定し、ステップＳ７へ進む。
ここで、補正レート値は、最大値が決定されても駆動力変化を感じないレベルの値に設定されている。
【００４８】
ステップＳ７では、ステップＳ６での補正レート値の決定に続き、自動変速機ATの変速比と図８に示すモータ軸上換算係数マップを用い、変速比が最ハイのときに最も高い値であり、変速比がロー側になるほど低い値となるモータ軸上換算係数を決定し、ステップＳ８へ進む。
【００４９】
ステップＳ８では、ステップＳ７でのモータ軸上換算係数を決定に続き、ステップＳ６で決定した補正レート値に、ステップＳ８で決定したモータ軸上換算係数を掛け合わせることで、ズレ補正量ΔTを求め、前回のモータトルク指令値Tm(n-1)からズレ補正量ΔTを差し引くことで、今回出力するモータトルク指令値Tmを求め、ステップＳ９へ進む。
【００５０】
ステップＳ９では、ステップＳ８でのモータトルク指令値Tmの算出に続き、ズレ補正が完了したか否かを判断し、YES（ズレ補正完了）の場合はエンドへ進み、NO（ズレ補正未完）の場合はステップＳ６へ戻る。
ここで、ズレ補正が完了したか否かの判断は、例えば、ステップＳ４にてクラッチ伝達トルクと要求駆動トルクのズレ量を求めておき、複数回のズレ補正により積算されたズレ補正量ΔTの積算値が、ズレ補正開始時のズレ量に到達したか否かにより判断する。
【００５１】
ステップＳ１０では、ステップＳ５でのクラッチ伝達トルク＜要求駆動トルクであるとの判断、あるいは、ステップＳ１３でのズレ補正未完であるとの判断に続き、そのときのアクセル開度APOと図７に示す補正レート値マップを用い、ズレトルク＜０のマップ線に基づいてアクセル開度APOが大きくなるほど大きくなる補正レート値を決定し、ステップＳ７へ進む。
ここで、補正レート値は、最大値が決定されても駆動力変化を感じないレベルの値に設定されている。
【００５２】
ステップＳ１１では、ステップＳ１０での補正レート値の決定に続き、自動変速機ATの変速比と図８に示すモータ軸上換算係数マップを用い、変速比が最ハイのときに最も高い値であり、変速比がロー側になるほど低い値となるモータ軸上換算係数を決定し、ステップＳ１２へ進む。
【００５３】
ステップＳ１２では、ステップＳ１１でのモータ軸上換算係数を決定に続き、ステップＳ１０で決定した補正レート値に、ステップＳ１１で決定したモータ軸上換算係数を掛け合わせることで、ズレ補正量ΔTを求め、前回のモータトルク指令値Tm(n-1)にズレ補正量ΔTを加えることで、今回出力するモータトルク指令値Tmを求め、ステップＳ１３へ進む。
【００５４】
ステップＳ１３では、ステップＳ１２でのモータトルク指令値Tmの算出に続き、ステップＳ９と同様にズレ補正が完了したか否かを判断し、YES（ズレ補正完了）の場合はエンドへ進み、NO（ズレ補正未完）の場合はステップＳ１０へ戻る。
【００５５】
ステップＳ１４では、ステップＳ４でのクラッチ伝達トルクと要求駆動トルクが同じであるとの判断に続き、そのときの要求駆動トルクに基づいて決定したモータトルクTmを得る指令を出力し、エンドへ進む。
【００５６】
次に、作用を説明する。
まず、「比較例の概要と問題点」を説明し、実施例１のＦＲハイブリッド車両の制御装置における作用を、「スリップ制御中に生じたズレ量を補正するモータ・クラッチ協調制御作用」、「ズレ量のみが異なるときのモータ・クラッチ協調制御作用」、「クラッチ伝達トルクが要求駆動トルクより小さいときのモータ・クラッチ協調制御作用」、「クラッチ伝達トルクが要求駆動トルクより大きいときのモータ・クラッチ協調制御作用」に分けて説明する。
【００５７】
［比較例の概要と問題点］
モータとトランスミッションの間にクラッチを有し、モータ軸にトランスミッションオイルポンプを有するシステムにおいて、発進時はオイルポンプで油圧を確保するために一定以上の回転速度でモータを回転させる必要があるので、発進直後はクラッチをスリップさせながら発進する。その際、クラッチはドライバーの要求駆動トルク相当に油圧を印加し、モータはスリップを保つための回転数制御を行う。
【００５８】
車速が上昇してクラッチ下流回転が上昇して油圧確保に必要なモータ回転速度と同等以上になれば完全締結走行に移行する。その際、クラッチには、スリップしないよう充分に油圧をかけ、モータはトルク制御で要求駆動トルクを出力する。なお、モータ軸にトランスミッションオイルポンプが備わっていないシステムにおいても、モータと同軸上にエンジンを備えたシステムにおいては、エンジン起動中はアイドル最低回転を確保すべく、発進制御は同様となる。
【００５９】
比較例（特開2008-81099号公報）において、クラッチスリップ走行から締結制御に切り替わる際に、ショック対策と加速応答遅れを回避するべく、モータトルクを、モータトルクの急変によるショックが問題とならない範囲で最も大きな時間変化割合で変化させる技術が記載されている。具体的には、スリップ走行中はクラッチ伝達トルクで車両の駆動力が決定され、締結中はモータトルクで駆動力が決定され、またクラッチは油温や経年変化等により制御性は悪く、要求値に対して実値がバラつくが、スリップ走行中のクラッチ伝達トルクはモータトルクから推定できるので、伝達トルクの要求値からのズレ分も推定でき、スリップ走行から締結走行に切り替わった際に、モータへのトルク要求を要求駆動トルク＋ズレ分とし、ショックが問題とならない範囲で最も大きな時間変化割合でズレ分を減少させることで車両駆動力が段付きにならずにショックを回避できる、と捉えることができる。
【００６０】
しかしながら、アクセルを小さく踏んで発進した際に、クラッチ伝達トルクが要求駆動トルクよりも小さい関係でトルクずれがある場合、ショックが出ない範囲で最も大きな時間変化割合でモータトルクを変化させれば、ショックは発生しなくとも、ズレ分の負トルクが素早く補填されるので、車両の突き出し感をドライバーに与える可能性がある。
【００６１】
すなわち、比較例の制御装置が搭載された電動車両においてCL2スリップ締結制御からCL2完全締結制御へ移行する発進シーンで、図９のアクセル開度特性に示すように、アクセルを小さく踏んで発進したとき、図９のトルク系特性に示すように、クラッチ伝達トルク＜要求駆動トルクの関係になったとする。このとき、CL2完全締結制御が開始された時点からクラッチ伝達トルクを要求駆動トルクに繋ぐモータトルク特性を、図９の矢印Ｃに示すように、ショック回避と加速応答遅れの回避ができる最も大きな時間変化割合で設計すると、前後加速度（Ｇ）の特性の丸枠Ｄに示すように、前後加速度が段付きで突出し、ゆっくりと走り出したいドライバー意図（アクセル開度小）であるにもかかわらず、車両の突き出し感（加速し出す感覚）をドライバーに与えることになる。
【００６２】
一方、アクセルを大きく踏み込んで発進した際に、クラッチ伝達トルクが要求駆動トルクよりも大きい関係でトルクずれがある場合、ショックが出ない範囲で最も大きな時間変化割合でモータトルクを変化させれば、ショックは発生しなくとも、ズレ分の正トルクが素早く抜けるので加速の抜け感をドライバーに与える可能性がある。
【００６３】
すなわち、比較例の制御装置が搭載された電動車両においてCL2スリップ締結制御からCL2完全締結制御へ移行する発進シーンで、図１０のアクセル開度特性に示すように、アクセルを大きく踏み込んで発進したとき、図１０のトルク系特性に示すように、クラッチ伝達トルク＞要求駆動トルクの関係になったとする。このとき、CL2完全締結制御が開始された時点からクラッチ伝達トルクを要求駆動トルクに繋ぐモータトルク特性を、図１０の矢印Ｅに示すように、ショック回避と加速応答遅れの回避ができる最も大きな時間変化割合で設計すると、前後加速度（Ｇ）の特性の丸枠Ｆに示すように、前後加速度が低下し、発進加速性を求めるドライバー意図（アクセル開度大）であるにもかかわらず、加速の抜け感（意図せずに加速が鈍った感覚）をドライバーに与えることになる。
【００６４】
［スリップ制御中に生じたズレ量を補正するモータ・クラッチ協調制御作用］
車両発進時は、メカオイルポンプM-O/Pの油圧確保、もしくは、エンジンEngのアイドル回転数を維持するため、モータ/ジェネレータMGで回転数制御しつつ、第２クラッチCL2に要求駆動トルク相当の油圧を印加して、第２クラッチCL2をスリップさせながら発進する。そして、車速上昇に伴い第２クラッチCL2の下流回転数が上昇して、モータ軸MSの必要最低回転速度以上に到達した際に第２クラッチCL2を完全締結して走行する。
【００６５】
このスリップ制御中における第２クラッチCL2の油圧制御は、油温や経年変化などによって指令値に対して実際値がばらつく。このため、第２クラッチCL2のスリップ制御中、要求駆動トルクと実際のクラッチ伝達トルクとにはずれが生じる。このズレ量をそのまま放置しておくと、トルク制御開始時における要求駆動トルクと実際の駆動トルクもずれることから、ドライバーの要求に応じた適切な駆動力制御ができない。
【００６６】
そこで、第２クラッチCL2のスリップ制御中に生じる要求駆動トルクと実際のクラッチ伝達トルクのズレ量を、第２クラッチCL2が完全締結状態となった時点から補正しようというのが実施例１のモータ・クラッチ協調制御である。このモータ・クラッチ協調制御を行うに際し、補正量であるクラッチ伝達トルクと要求駆動トルクのズレ量を求める必要があり、その演算手法を説明する。
【００６７】
まず、スリップ制御中の第２クラッチCL2のクラッチ伝達トルクTclは、以下の式より求まる。
スリップ制御中の駆動系では、
Idw/dt＝Tm＋Top＋Te−Tcl        …(1)
というトルク関係式が成り立つ。
よって、(1)式を変形すると、
Tcl＝Tm＋Top＋Te−Idw/dt        …(2)
となる。よって、(2)式の右辺に各種情報から導出した値を与えることで、クラッチ伝達トルクTclが求まる。
ここで、
Tm：モータトルクであり、電流センサより導出可能である。
Te：エンジントルクであり、点火時期、吸入空気量、燃料噴射量、各種温度から導出可能である。
Top：オイルポンプトルクであり、要求油圧量及び回転速度より導出可能である。
I：第２クラッチCL2の上流イナーシャであり、事前に求めておくことが可能である。
dw/dt：モータ回転角加速度であり、レゾルバ等の回転速度センサ値から導出可能である。
なお、エンジンEngが無い電気自動車の場合は、Te＝０とする。
したがって、実施例１にて補正されるクラッチ伝達トルクTclと要求駆動トルクTcl_requestのズレ量ΔT_offsetは、
ΔT_offset＝Tcl_request−Tcl            …(3)
の式により導出することができる。
【００６８】
今、車両停止からあるアクセル開度で踏み込まれて発進し、かつ、スリップ走行フェーズ時のクラッチ伝達トルクが要求駆動トルクに対して大きい状態、あるいは、クラッチ伝達トルクが要求駆動トルクに対して小さい状態でクラッチ完全締結制御に移行した時、移行した瞬間、モータ/ジェネレータMGへの要求モータトルク値を、本来の要求駆動トルクに加えてズレ量を重畳した値とする。その後、ショックだけでなくドライバビリティに違和感が出ないように、図７に示すマップに従って決めたモータトルク変化率により、ズレ分のトルクを減少させる。なお、締結タイミングは種々条件によって変わり、その際の変速比も様々だが、ドライブシャフトDSR,DSL上でズレ分のトルク減少が一定になるようにモータ軸MSでのズレ分のトルク減少レートを決めるのが実施例１のモータ・クラッチ協調制御である。以下、ズレ量のみが異なるとき、クラッチ伝達トルクが要求駆動トルクより小さいとき、クラッチ伝達トルクが要求駆動トルクより大きいときのモータ・クラッチ協調制御作用を説明する。
【００６９】
［ズレ量のみが異なるときのモータ・クラッチ協調制御作用］
第２クラッチCL2がスリップ締結状態から完全締結状態へ移行する走行シーンで、完全締結状態へ移行完了時にスリップ時のクラッチ伝達トルクと要求駆動トルクが、クラッチ伝達トルク＞要求駆動トルクの関係にあるときには、図６のフローチャートにおいて、ステップＳ１→ステップＳ２→ステップＳ３→ステップＳ４→ステップＳ５→ステップＳ６→ステップＳ７→ステップＳ８→ステップＳ９へと進む。そして、開始されたズレ補正が完了するまで、ステップＳ６→ステップＳ７→ステップＳ８→ステップＳ９へと進む流れが一定の起動時間（例えば、10ms）毎に繰り返される。
【００７０】
このとき、アクセル開度APOと変速比は同等である場合、図７のマップに基づき決定される補正レート値が一定値となり（ステップＳ６）、図８のマップに基づき決定されるモータ軸上換算係数が一定となる（ステップＳ７）。このため、一制御周期毎に差し引かれるズレ補正量ΔTが一定量となり、モータトルク特性としては、一定のモータトルク変化率によりトルクが減少する特性を示す。
【００７１】
したがって、アクセル開度APOが同等で、第２クラッチCL2が完全締結状態へ移行完了する時刻t0にてクラッチ伝達トルクと要求駆動トルクのズレ量が、図１１に示すように、ズレ方Ａ（ズレ量小）とズレ方Ｂ（ズレ量大）というように異なるとき、ズレ方Ａ，Ｂによらず、時刻t1でのズレ縮小補正量は一定となり、ドライバーに違和感を与えない。
例えば、アクセル開度APOが同等で、ズレ補正時間を一定としてズレ補正を行う場合、ズレ量大のときモータトルク変化率が大となり、ズレ量小のときモータトルク変化率が小となり、アクセル開度APOが同等であるにもかかわらず、モータトルク変化率が変化し、ドライバーに違和感を与える。
【００７２】
また、ステップＳ７において、図８のモータ軸上換算係数マップに基づき、変速比に応じてモータ軸上換算係数を決定するようにしている。すなわち、ドライブシャフトDSL,DSR上でのモータトルク変化率として、アクセル開度APOの大きさにより補正レート値を決定し（ステップＳ６）、これにモータ軸上換算係数を掛け合わせることで、モータ軸MS上でのモータトルク変化率（１制御周期毎のズレ補正量ΔT）を導出するようにしている。
【００７３】
したがって、自動変速機ATでの現在の変速比によらず、ズレ分のトルクの変化が一定になり、ドライバーに違和感を与えない。
例えば、アクセル開度APOの大きさにより決定した補正レート値を、１制御周期毎のズレ補正量ΔTとしてモータトルク変化率とした場合、モータ軸上の変化率に換算されていないため、自動変速機ATを経過したモータトルク変化率は、アンダードライブ側で大きくなり、オーバードライブ側で小さくなる。ズレ補正制御が行われる変速比によってモータトルク変化率が変化し、ドライバーに違和感を与える。
【００７４】
［アクセル開度小のときのモータ・クラッチ協調制御作用］
アクセル開度小で、クラッチ伝達トルク（＝モータトルク）＞要求駆動トルクの関係があるときには、図６のフローチャートにおいて、ステップＳ６→ステップＳ７→ステップＳ８→ステップＳ９へと進む流れが一定の起動時間（例えば、10ms）毎に繰り返される。このとき、ステップＳ６では、図７のズレトルク＞０のマップ線を用いて補正レート値が決定されることで、アクセル開度小のときには、補正レート値として大きな値（普通）が決定される。
【００７５】
したがって、図１２(b)の上部に記載されたモータトルク特性に示すように、ドライバーは加速を求めていないので、ショック及び違和感を与えない程度に、素早く要求に追従するようにズレ分を補正する。つまり、アクセル開度小で、モータトルクを減少させるときは、ドライバーが加速を求めずにゆっくり走りたいという要求に応えたモータトルク変化率大でのズレ分補正が行われる。
【００７６】
アクセル開度小で、クラッチ伝達トルク（＝モータトルク）＜要求駆動トルクの関係があるときには、図６のフローチャートにおいて、ステップＳ１０→ステップＳ１１→ステップＳ１２→ステップＳ１３へと進む流れが一定の起動時間（例えば、10ms）毎に繰り返される。このとき、ステップＳ１０では、図７のズレトルク＜０のマップ線を用いて補正レート値が決定されることで、アクセル開度小のときには、補正レート値として小さな値（緩）が決定される。
【００７７】
したがって、図１２(b)の下部に記載されたモータトルク特性に示すように、ドライバーは加速を求めていないので、不意に加速したと感じられないように十分にゆっくりとズレ分を補正する。つまり、アクセル開度小で、モータトルクを上昇させるときは、ドライバーが加速を求めずにゆっくり走りたいという要求に応えたモータトルク変化率小でのズレ分補正が行われる。
【００７８】
［アクセル開度大のときのモータ・クラッチ協調制御作用］
アクセル開度大で、クラッチ伝達トルク（＝モータトルク）＞要求駆動トルクの関係があるときには、図６のフローチャートにおいて、ステップＳ６→ステップＳ７→ステップＳ８→ステップＳ９へと進む流れが一定の起動時間（例えば、10ms）毎に繰り返される。このとき、ステップＳ６では、図７のズレトルク＞０のマップ線を用いて補正レート値が決定されることで、アクセル開度大のときには、補正レート値として小さな値（緩）が決定される。
【００７９】
したがって、図１２(c)の上部に記載されたモータトルク特性に示すように、ドライバーは加速を求めているので、加速の鈍り感が絶対に出ないように十分にゆっくりとズレ分を補正する。つまり、アクセル開度大で、モータトルクを減少させるときは、ドライバーの加速要求に応えたモータトルク変化率小でのズレ分補正が行われる。
【００８０】
アクセル開度大で、クラッチ伝達トルク（＝モータトルク）＜要求駆動トルクの関係があるときには、図６のフローチャートにおいて、ステップＳ１０→ステップＳ１１→ステップＳ１２→ステップＳ１３へと進む流れが一定の起動時間（例えば、10ms）毎に繰り返される。このとき、ステップＳ１０では、図７のズレトルク＜０のマップ線を用いて補正レート値が決定されることで、アクセル開度小のときには、補正レート値として大きな値（普通）が決定される。
【００８１】
したがって、図１２(c)の下部に記載されたモータトルク特性に示すように、ドライバーは加速を求めているので、ショック及び違和感を与えない程度に、素早く要求に追従するようにズレ分を補正する。つまり、アクセル開度大で、モータトルクを上昇させるときは、ドライバーの加速要求に応えたモータトルク変化率大でのズレ分補正が行われる。
【００８２】
次に、効果を説明する。
実施例１のＦＲハイブリッド車両の制御装置にあっては、下記に列挙する効果を得ることができる。
【００８３】
(1) 駆動系に、モータ（モータ/ジェネレータMG）と、摩擦要素（第２クラッチCL2）と、駆動輪（左右後輪RL,RR）と、を備え、前記摩擦要素（第２クラッチCL2）は、スリップ締結状態と完全締結状態の切り換え制御を行い、前記モータ（モータ/ジェネレータMG）は、前記摩擦要素（第２クラッチCL2）がスリップ締結状態のとき、モータ回転数を目標回転数とする回転数制御を行い、前記摩擦要素（第２クラッチCL2）が完全締結状態のとき、モータトルクを目標トルクとするトルク制御を行う電動車両（ＦＲハイブリッド車両）の制御装置において、前記摩擦要素（第２クラッチCL2）がスリップ締結状態から完全締結状態への移行を完了した時点で第１駆動伝達トルク（クラッチ伝達トルク）から第２駆動伝達トルク（要求駆動トルク）への変更を要するとき、前記第１駆動伝達トルク（クラッチ伝達トルク）と前記第２駆動伝達トルク（要求駆動トルク）のトルク落差を、所定のモータトルク変化率による傾斜勾配特性を持つモータトルクにより繋ぐモータ・クラッチ協調制御手段（図６）を設け、前記モータ・クラッチ協調制御手段（図６）は、前記モータトルク変化率を、前記第１駆動伝達トルク（クラッチ伝達トルク）と前記第２駆動伝達トルク（要求駆動トルク）の大小関係、および、ドライバーの要求駆動力相当値（アクセル開度APO）に基づいて設定するモータトルク変化率設定部（ステップＳ６，ステップＳ１０）を有する。
このため、駆動系の摩擦要素（第２クラッチCL2）をスリップ締結状態から完全締結状態へ移行するとき、モータトルク変化率の適切な設定により、ドライバーに違和感を与えることなく、クラッチ完全締結走行モードへ遷移することができる。
【００８４】
(2) 前記モータ・クラッチ協調制御手段（図６）は、前記摩擦要素（第２クラッチCL2）がスリップ締結状態から完全締結状態への移行を完了したとき、前記摩擦要素（第２クラッチCL2）のスリップ制御中におけるクラッチ伝達トルクと要求駆動トルクのズレ分を求め、このズレ分をモータトルクにより補正する手段であり、前記モータトルク変化率設定部（ステップＳ６，ステップＳ１０）は、前記摩擦要素（第２クラッチCL2）が完全締結状態への移行を完了した後、前記要求駆動トルクに向かって変化させるモータトルク変化率を、前記クラッチ伝達トルクと前記要求駆動トルクとの大小関係、および、ドライバーの要求駆動力相当値（アクセル開度APO）に基づいて設定する。
このため、摩擦要素（第２クラッチCL2）のスリップ締結制御性が不安定であることに起因し、スリップ制御中にクラッチ伝達トルク＞要求駆動トルクとなったり、クラッチ伝達トルク＜要求駆動トルクとなったりしたとき、ショックやドライバビリティに違和感を出さないで、駆動力制御精度を確保したクラッチ完全締結走行モードに遷移することができる。
【００８５】
(3) 前記モータトルク変化率設定部（ステップＳ６）は、前記第１駆動伝達トルク（クラッチ伝達トルク）が前記第２駆動伝達トルク（要求駆動トルク）より大きい場合、アクセル開度APOが大きいほど、補正時のモータトルク変化率（補正レート値）を小さく設定する。
このため、アクセル開度APOが小さく加速要求がないとき、モータトルク変化率（補正レート値）を大きく設定することで、ショックや違和感を与えない程度に素早く駆動系の伝達トルクを低下させることができると共に、アクセル開度APOが大きく加速要求があるとき、モータトルク変化率（補正レート値）を小さく設定することで、加速の鈍り感が出ないようにゆっくりと駆動系の伝達トルクを低下させることができる。
【００８６】
(4) 前記モータトルク変化率設定部（ステップＳ１０）は、前記第１駆動伝達トルク（クラッチ伝達トルク）が前記第２駆動伝達トルク（要求駆動トルク）より小さい場合、アクセル開度APOが小さいほど、補正時のモータトルク変化率（補正レート値）を小さく設定する。
このため、アクセル開度APOが小さく加速要求がないとき、モータトルク変化率（補正レート値）を小さく設定することで、不意に加速したと感じられないようにゆっくりと駆動系の伝達トルクを上昇させることができると共に、アクセル開度APOが大きく加速要求があるとき、モータトルク変化率（補正レート値）を大きく設定することで、ショックや違和感を与えない程度に素早く駆動系の伝達トルクを上昇させることができる。
【００８７】
(5) 前記駆動系は、前記モータ（モータ/ジェネレータMG）と前記駆動輪（左右後輪RL,RR）との間に変速機（自動変速機AT）を有し、前記モータトルク変化率設定部（ステップＳ７，ステップＳ１１）は、前記両トルクの大小関係、および、アクセル開度APOに基づいて設定されたモータトルク変化率（補正レート値）を、前記変速機（自動変速機AT）の変速比の大きさに応じてモータ軸MS上のモータトルク変化率（ズレ補正量ΔT）に換算する。
このため、駆動系に変速機（自動変速機AT）を有するシステムの場合、同じ条件下で設定されたモータトルク変化率（補正レート値）に対し、変速機（自動変速機AT）の変速比にかかわらず、駆動輪（左右後輪RL,RR）に伝達されるトルク変化率を一定に保つことができる。
【００８８】
(6) 前記駆動系は、エンジンEngと、第１クラッチCL1と、モータ（モータ/ジェネレータMG）と、第２クラッチCL2と、変速機（自動変速機AT）と、駆動輪（左右後輪RL,RR）と、を備えたハイブリッド駆動系であり、前記ハイブリッド駆動系は、走行モードとして、前記第１クラッチCL1を解放しながら走行する電気自動車走行モード（「EVモード」）と、前記第１クラッチCL1を締結しながら走行するハイブリッド車走行モード（「HEVモード」）と、前記第２クラッチCL2のスリップ締結状態を維持し、前記第２クラッチCL2を経過するクラッチ伝達トルクをコントロールしながら走行する駆動トルクコントロール走行モード（「WSCモード」）と、を有する。
このため、発進時以外にエンジンEngの始動・停止制御時が加わることで、第２クラッチCL2をスリップ締結状態から完全締結状態へ切り換える頻度が高くなるにもかかわらず、有効にモータ・クラッチ協調制御が機能し、ショックやドライバビリティに違和感を出さない発進・走行を確保することができる。
【００８９】
以上、本発明の電動車両の制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００９０】
実施例１では、本発明のモータトルク変化率を設定するモータ・クラッチ協調制御を、スリップ制御中のクラッチ伝達トルクと要求駆動トルクのズレ分の補正するために適用する例を示した。しかし、摩擦要素（第２クラッチCL2）がスリップ状態から完全締結状態となり、モータ制御が回転数制御からトルク制御に切り換わるとき、目標駆動トルクが変更される。したがって、摩擦要素がスリップ状態から完全締結状態となるとき、ズレ分の補正なくしてもモータトルクを変化させる必要がある。このため、摩擦要素が完全締結状態に移行が完了した時点で、目標駆動トルクや要求駆動トルクが変更される場合、目標駆動トルクや要求駆動トルクの変更と共にズレ分の補正が必要な場合、ズレ分の補正のみが必要な場合、のいずれにおいて本発明のモータトルク変化率を設定するモータ・クラッチ協調制御を適用することができる。
【００９１】
実施例１では、摩擦要素である第２クラッチCL2を、モータ/ジェネレータMGと自動変速機ATの間に介装する例を示した。しかし、自動変速機ATに内蔵した摩擦締結要素の中から摩擦要素を選択する例としても良いし、さらに、自動変速機ATと駆動輪との間に摩擦要素を介装する例としても良い。
【００９２】
実施例１では、自動変速機付きの１モータ２クラッチのＦＲハイブリッド車両への適用例を示した。しかし、例えば、モータとトランスミッションの間にクラッチを備え、モータ軸にトランスミッションオイルポンプを備える駆動系を持つ車両、もしくは、トランスミッションオイルポンプが備わっていなくてもモータ軸と同軸上にエンジンを備える駆動系を持つ車両に適用できる。要するに、駆動系に、モータと摩擦要素を有する車両であれば、実施例１以外の型式を持つハイブリッド車、電気自動車、燃料電池車、等の様々な電動車両に適用することができる。
【符号の説明】
【００９３】
Eng  エンジン
CL1  第１クラッチ
MG  モータ/ジェネレータ（モータ）
MS  モータ軸
CL2  第２クラッチ（摩擦要素）
AT  自動変速機（変速機）
IN  変速機入力軸
M-O/P  メカオイルポンプ
RL  左後輪（駆動輪）
RR  右後輪（駆動輪）
１  エンジンコントローラ
２  モータコントローラ
３  インバータ
４  バッテリ
５  第１クラッチコントローラ
６  第１クラッチ油圧ユニット
７  ＡＴコントローラ
８  第２クラッチ油圧ユニット
９  ブレーキコントローラ
１０  統合コントローラ
【図１】
2011020542.tif 000003
【図２】
2011020542.tif 000004
【図３】
2011020542.tif 000005
【図４】
2011020542.tif 000006
【図５】
2011020542.tif 000007
【図６】
2011020542.tif 000008
【図７】
2011020542.tif 000009
【図８】
2011020542.tif 000010
【図９】
2011020542.tif 000011
【図１０】
2011020542.tif 000012
【図１１】
2011020542.tif 000013
【図１２】
2011020542.tif 000014